(57)【要約】【課題】符号形式や記憶媒体によって制限されることの少ない記憶技術を提供する。【解決手段】各々の前記ネットワークユニットの中継ノードは互いに連絡リンクで連結され、入力ノードに入力インパルスが入力されると、中継ノードを経由して、伝達リンクを伝達インパルスが伝わり、出力ノードに伝達インパルスが到達すると、出力ノードは出力インパルスを出力するとともに、伝達インパルスが印加された中継ノードは、他のネットワークユニットの中継ノードへの連絡リンクに連絡インパルスを伝え、さらに、中継ノードに伝達インパルスと連絡インパルスが特定の条件で印加されたとき、特定の条件で印加された連絡インパルスを伝えた連絡リンクの結合が強化され、中継ノードは、結合が強化された連絡リンクを伝わって連絡インパルスが印加されると、一定の遅延を設けて、みずからの下流の隣接ノードに伝達インパルスを伝える。【選択図】  図１
2012003378.tif 000002
【特許請求の範囲】
【請求項１】
ノードとリンクとでインパルスを伝えるネットワークにおいて、
一つの入力ノードと一つの出力ノードが少なくとも一つの中継ノードを介して伝達リンクで連結されたネットワークユニットが、複数あり、
各々の前記ネットワークユニットの前記中継ノードは互いに連絡リンクで連結され、
前記入力ノードに入力インパルスが入力されると、前記中継ノードを経由して、前記伝達リンクを伝達インパルスが伝わり、前記出力ノードに前記伝達インパルスが到達すると、前記出力ノードは出力インパルスを出力するとともに、
前記伝達インパルスが印加された前記中継ノードは、他の前記ネットワークユニットの前記中継ノードへの前記連絡リンクに連絡インパルスを伝え、
さらに、前記中継ノードに前記伝達インパルスと前記連絡インパルスが特定の条件で印加されたとき、前記特定の条件で印加された前記連絡インパルスを伝えた前記連絡リンクの結合が強化され、
前記中継ノードは、前記結合が強化された前記連絡リンクを伝わって前記連絡インパルスが印加されると、一定の遅延を設けて、みずからの下流の隣接ノードに前記伝達インパルスを伝える
ことを特徴とする記憶方法。
【請求項２】
請求項１の記憶方法において、
外部からの刺激を、前記入力ノードへの前記入力インパルスに変換するとともに、前記出力ノードからの前記出力インパルスをもとに、情報を生成することを特徴とする記憶方法。
【請求項３】
ノードとリンクとでインパルスを伝えるネットワークにおいて、
一つの入力ノードと一つの出力ノードが少なくとも一つの中継ノードを介して伝達リンクで連結されたネットワークユニットを、複数備え、
各々の前記ネットワークユニットの前記中継ノードは互いに連絡リンクで連結され、
前記入力ノードに入力インパルスが入力されると、前記中継ノードを経由して、前記伝達リンクを伝達インパルスが伝わり、前記出力ノードに前記伝達インパルスが到達すると、前記出力ノードは出力インパルスを出力するとともに、
前記伝達インパルスが印加された前記中継ノードは、他の前記ネットワークユニットの前記中継ノードへの前記連絡リンクに連絡インパルスを伝え、
さらに、前記中継ノードに前記伝達インパルスと前記連絡インパルスが特定の条件で印加されたとき、前記特定の条件で印加された前記連絡インパルスを伝えた前記連絡リンクの結合が強化され、
前記中継ノードは、前記結合が強化された前記連絡リンクを伝わって前記連絡インパルスが印加されると、一定の遅延を設けて、みずからの下流の隣接ノードに前記伝達インパルスを伝える
ことを特徴とする記憶装置。
【請求項４】
請求項３に記載の記憶装置において、
外部からの刺激を、前記入力ノードへの前記入力インパルスに変換する手段を備えるとともに、前記出力ノードからの前記出力インパルスをもとに、情報を生成する手段を備えることを特徴とする記憶装置。
【請求項５】
入力された入力データと対応する複数の中間データを連関させて得られた再生データを出力する記憶装置であって、
予め固有の中間データをそれぞれ記憶し、出力指示信号の入力に応じて当該中間データを出力する、複数の中間データ記憶部と、
前記入力データの入力に応じて、前記中間データ記憶部のうち当該入力データと対応する複数の中間データ記憶部を連関させるための前記出力指示信号を生成して順次出力する連関ネットワーク部と、
前記中間データ記憶部から複数の前記中間データを順次受け取ってそれぞれ対応する出力データに変換し、これら中間データのうち最初に受け取った先頭中間データの出力データからなる主データと、前記先頭中間データの後に受け取った後続中間データの出力データからなる付随データとの組を前記再生データとして出力する出力変換部と
を備え、
前記連関ネットワーク部は、前記中間データ記憶部に対応して設けられて、連絡リンクを介して網状に接続された複数のネットワークユニットと、これらネットワークユニットのうち前記入力データと対応するいずれか１つを選択するユニット選択部とを有し、
前記ネットワークユニットは、前記ユニット選択部による選択に応じて、当該ネットワークユニットに対応する前記中間データ記憶部への前記出力指示信号を生成して出力するとともに、前記連絡リンクを介して接続された他の前記ネットワークユニットへ連絡インパルス信号を送信し、前記連絡リンクのうち活性状態に設定されている連絡リンクからの前記連絡インパルス信号の受信に応じて、当該連絡インパルス信号の受信から一定時間だけ遅延した後、当該ネットワークユニットに対応する前記中間データ記憶部へ前記出力指示信号を出力する
ことを特徴とする記憶装置。
【請求項６】
請求項５に記載の記憶装置において、
前記ネットワークユニットは、入力ノードおよび出力ノードと、これら入出力ノード間に直列接続された１つ以上の中継ノードとを有し、
前記入力ノードは、前記ユニット選択部による選択に応じて伝達インパルス信号を生成して自ノードに隣接する前記中継ノードへ出力し、
前記出力ノードは、自ノードに隣接する前記中継ノードからの前記伝達インパルス信号に応じて前記出力指示信号を生成して出力し、
前記中継ノードは、
自ノードに隣接する前記入力ノードまたは自ノードの入力ノード側に隣接する前記中継ノードのいずれかからなる上流側隣接ノードからの前記伝達インパルス信号を、自ノードに隣接する前記出力ノードまたは自ノードの出力ノード側に隣接する前記中継ノードのいずれかからなる下流側隣接ノードへ出力する伝達インパルス出力部と、前記上流側隣接ノードからの前記伝達インパルス信号の入力に応じて前記連絡インパルス信号を生成し、前記連絡リンクを介して他の前記ネットワークユニットへ送信する連絡インパルス送信部とを含む連絡送信ノード、
または、前記伝達インパルス出力部と、前記連絡リンクのうち活性状態に設定されている連絡リンクからの前記連絡インパルス信号の受信に応じて、当該連絡インパルス信号の受信から一定時間だけ遅延した後、前記伝達インパルス信号を前記下流側隣接ノードへ出力する連絡インパルス受信部とを含む連絡受信ノード
のいずれか一方からなる
ことを特徴とする記憶装置。
【請求項７】
請求項６に記載の記憶装置において、
前記連絡インパルス受信部は、前記連絡リンクごとに当該連絡リンクの有効性を示す感度を保持し、当該感度が基準感度に達しているか否かにより、当該連絡リンクが活性状態か否かを判定することを特徴とする記憶装置。
【請求項８】
請求項７に記載の記憶装置において、
前記連絡受信ノードは、前記連絡リンクを介した前記連絡インパルス信号と、その後前記上流側隣接ノードからの前記伝達インパルス信号とが、特定の感度増大条件で入力された場合、当該連絡リンクに関する前記感度を増大させる感度調整部をさらに有することを特徴とする記憶装置。
【請求項９】
入力された入力データと対応する複数の中間データを連関させて得られた再生データを出力する記憶装置で用いられる記憶方法であって、
複数の中間データ記憶部が、予め固有の中間データをそれぞれ記憶し、出力指示信号の入力に応じて当該中間データを出力する中間データ記憶部ステップと、
連関ネットワーク部が、前記入力データの入力に応じて、前記中間データ記憶部のうち当該入力データと対応する複数の中間データ記憶部を連関させるための前記出力指示信号を生成して順次出力する連関ネットワークステップと、
出力変換部が、前記中間データ記憶部から複数の前記中間データを順次受け取ってそれぞれ対応する出力データに変換し、これら中間データのうち最初に受け取った先頭中間データの出力データからなる主データと、前記先頭中間データの後に受け取った後続中間データの出力データからなる付随データとの組を前記再生データとして出力する出力変換ステップと
を備え、
前記連関ネットワーク部は、前記中間データ記憶部に対応して設けられて、連絡リンクを介して網状に接続された複数のネットワークユニットと、これらネットワークユニットのうち前記入力データと対応するいずれか１つを選択するユニット選択部とを有し、
前記ネットワークユニットが、前記ユニット選択部による選択に応じて、当該ネットワークユニットに対応する前記中間データ記憶部への前記出力指示信号を生成して出力するとともに、前記連絡リンクを介して接続された他の前記ネットワークユニットへ連絡インパルス信号を送信し、前記連絡リンクのうち活性状態に設定されている連絡リンクからの前記連絡インパルス信号の受信に応じて、当該連絡インパルス信号の受信から一定時間だけ遅延した後、当該ネットワークユニットに対応する前記中間データ記憶部へ前記出力指示信号を出力するステップを有する
ことを特徴とする記憶方法。
【請求項１０】
コンピュータを、請求項２〜請求項８のいずれか１つに記載の記憶装置を構成する各部として動作させるためのプログラム。
【発明の詳細な説明】
【技術分野】
【０００１】
本発明は、記憶技術に関し、特にヒトが情報を記憶するプロセスに応じた方法で情報を記憶する記憶技術に関する。
【背景技術】
【０００２】
従来の記憶方法および記憶装置は、半導体メモリなどの記憶媒体に、符号等で表現された情報を書き込むものが一般的である。
【先行技術文献】
【特許文献】
【０００３】
【特許文献１】特開２００８−００３９３２号公報
【発明の概要】
【発明が解決しようとする課題】
【０００４】
しかしながら、従来の記憶方法および記憶装置では、記憶内容の保持が、符号が記憶媒体上の特定の領域を占めることによって成立するため、記憶することのできる内容の大きさが、記憶媒体の容量で制限される。また、符号と意味との対応原理が、符号それ自体とは別に、必要になる。
翻って、ヒトも、ものごとを覚えたり思い出したりする、すなわち記憶することができる。ヒトの記憶のプロセスは、知覚することができない。しかし、記憶内容がヒトの内部に保持されていることは確かであるから、記憶を担っている何らかの実体ないしはメカニズムが存在する。
【０００５】
ヒトは、新しい記憶内容を、既存の記憶内容と干渉することなく取り込むことができる。一方、特定の既存の記憶内容を、明示的に消去する手段はない。記憶する主体の、物体としての総量は限られているにもかかわらず、記憶の容量には明確な限界が見られない。
また、ヒトの記憶は、具体性を持っている。その具体性は、本来、定量化することも符号化することもできないものである。逆に、符号として保持されているとすれば、ヒトの記憶の豊かさを説明できない。
【０００６】
符号は、ヒトの記憶を、記憶する主体から離れて存在できるようにするための手段とみなせる。ヒトの記憶を、表現したり、外部と共有したりすることは、何らかのプロセスによって符号等の形に変換して初めて可能になる。すなわち、ヒトが表現した記憶の内容は、ヒトの記憶の意味を言語などの手段を用いて説明したものであって、ヒトの記憶そのものとは異なる。
【０００７】
ヒトの記憶内容の、符号化されていない情報からなる個々の断片を、概念と呼ぶこととすれば、ヒトの記憶の全体像は、ある種の連続性を持った、相互に連関した概念の集合体のようであり、各々の概念は、かならず他の概念と何らかの結び付きを持っている。したがって、ひとつの概念が、背景としての他の概念が何もないところに、単独で存在することはあり得ない。
ヒトが新たな記憶内容を取り込むことは、記憶する主体に内在している既存の概念を関連付けることによって、新たな意味の側面を形成することに他ならない。すなわち、それが、新たな概念となる。
【０００８】
符号による信号等はもとより、あらゆる形式を含めた、記憶する主体に対する広い意味での入力を、刺激と呼ぶこととする。また、刺激を受けたことによって、記憶する主体に生じる、広い意味での種々の事象を、反応と呼ぶこととする。反応には、記憶する主体の中に概念が呼び起こされることも含まれる。また、記憶する主体の中に、反応として呼び起された概念は、記憶する主体に対して、再帰的に、新たな刺激にもなり得る。
【０００９】
記憶する主体に内在する概念の関連付けは、刺激が、ある関係をもった複数の側面を含んでいて、それらの刺激側面に対する反応として複数の概念が呼び起されるとき、複数の刺激側面の間の関係が、複数の概念の間に投影される形で、複数の概念の連関が形成されることによって実現される。
また、刺激側面の間の関係といったものも、ある種の概念と見ることができるので、上述のような、既存の概念の連関による新たな概念の形成、すなわち新たな記憶内容の取り込みは、概念同士の結び付けと要約できる。
【００１０】
ヒトの記憶は、以上のような原理に基づいていると考えられ、記憶媒体上に符号で書き込むような形態で実現されてはいない。
本発明は、このような点に鑑みてなされたものであり、符号形式や記憶媒体によって制限されることの少ない記憶技術を提供することを目的とする。
【課題を解決するための手段】
【００１１】
このような目的を達成するために、ノードとリンクとでインパルスを伝えるネットワークにおいて、一つの入力ノードと一つの出力ノードが少なくとも一つの中継ノードを介して伝達リンクで連結されたネットワークユニットが、複数あり、各々の前記ネットワークユニットの前記中継ノードは互いに連絡リンクで連結され、前記入力ノードに入力インパルスが入力されると、前記中継ノードを経由して、前記伝達リンクを伝達インパルスが伝わり、前記出力ノードに前記伝達インパルスが到達すると、前記出力ノードは出力インパルスを出力するとともに、前記伝達インパルスが印加された前記中継ノードは、他の前記ネットワークユニットの前記中継ノードへの前記連絡リンクに連絡インパルスを伝え、さらに、前記中継ノードに前記伝達インパルスと前記連絡インパルスが特定の条件で印加されたとき、前記特定の条件で印加された前記連絡インパルスを伝えた前記連絡リンクの結合が強化され、前記中継ノードは、前記結合が強化された前記連絡リンクを伝わって前記連絡インパルスが印加されると、一定の遅延を設けて、みずからの下流の隣接ノードに前記伝達インパルスを伝えることを特徴とする。
【００１２】
また、本発明の記憶方法は、さらに、外部からの刺激を、前記入力ノードへの前記入力インパルスに変換するとともに、前記出力ノードからの前記出力インパルスをもとに、情報を生成することを特徴とする。
【００１３】
本発明の記憶装置は、ノードとリンクとでインパルスを伝えるネットワークにおいて、一つの入力ノードと一つの出力ノードが少なくとも一つの中継ノードを介して伝達リンクで連結されたネットワークユニットを、複数備え、各々の前記ネットワークユニットの前記中継ノードは互いに連絡リンクで連結され、前記入力ノードに入力インパルスが入力されると、前記中継ノードを経由して、前記伝達リンクを伝達インパルスが伝わり、前記出力ノードに前記伝達インパルスが到達すると、前記出力ノードは出力インパルスを出力するとともに、前記伝達インパルスが印加された前記中継ノードは、他の前記ネットワークユニットの前記中継ノードへの前記連絡リンクに連絡インパルスを伝え、さらに、前記中継ノードに前記伝達インパルスと前記連絡インパルスが特定の条件で印加されたとき、前記特定の条件で印加された前記連絡インパルスを伝えた前記連絡リンクの結合が強化され、前記中継ノードは、前記結合が強化された前記連絡リンクを伝わって前記連絡インパルスが印加されると、一定の遅延を設けて、みずからの下流の隣接ノードに前記伝達インパルスを伝えることを特徴とする。
【００１４】
また、本発明の記憶装置は、さらに、外部からの刺激を、前記入力ノードへの前記入力インパルスに変換する手段を備えるとともに、前記出力ノードからの前記出力インパルスをもとに、情報を生成する手段を備えることを特徴とする。
【００１５】
本発明にかかる他の記憶装置は、入力された入力データと対応する複数の中間データを連関させて得られた再生データを出力する記憶装置であって、予め固有の中間データをそれぞれ記憶し、出力指示信号の入力に応じて当該中間データを出力する、複数の中間データ記憶部と、入力データの入力に応じて、中間データ記憶部のうち当該入力データと対応する複数の中間データ記憶部を連関させるための出力指示信号を生成して順次出力する連関ネットワーク部と、中間データ記憶部から複数の中間データを順次受け取ってそれぞれ対応する出力データに変換し、これら中間データのうち最初に受け取った先頭中間データの出力データからなる主データと、先頭中間データの後に受け取った後続中間データの出力データからなる付随データとの組を再生データとして出力する出力変換部とを備え、連関ネットワーク部に、中間データ記憶部に対応して設けられて、連絡リンクを介して網状に接続された複数のネットワークユニットと、これらネットワークユニットのうち入力データと対応するいずれか１つを選択するユニット選択部とを設け、ネットワークユニットで、ユニット選択部による選択に応じて、当該ネットワークユニットに対応する中間データ記憶部への出力指示信号を生成して出力するとともに、連絡リンクを介して接続された他のネットワークユニットへ連絡インパルス信号を送信し、連絡リンクのうち活性状態に設定されている連絡リンクからの連絡インパルス信号の受信に応じて、当該連絡インパルス信号の受信から一定時間だけ遅延した後、当該ネットワークユニットに対応する中間データ記憶部へ出力指示信号を出力するものである。
【００１６】
この際、ネットワークユニットに、入力ノードおよび出力ノードと、これら入出力ノード間に直列接続された１つ以上の中継ノードとを設け、入力ノードで、ユニット選択部による選択に応じて伝達インパルス信号を生成して自ノードに隣接する中継ノードへ出力し、出力ノードで、自ノードに隣接する中継ノードからの伝達インパルス信号に応じて出力指示信号を生成して出力し、中継ノードとして、自ノードに隣接する入力ノードまたは自ノードの入力ノード側に隣接する中継ノードのいずれかからなる上流側隣接ノードからの伝達インパルス信号を、自ノードに隣接する出力ノードまたは自ノードの出力ノード側に隣接する中継ノードのいずれかからなる下流側隣接ノードへ出力する伝達インパルス出力部と、上流側隣接ノードからの伝達インパルス信号の入力に応じて連絡インパルス信号を生成し、連絡リンクを介して他のネットワークユニットへ送信する連絡インパルス送信部とを含む連絡送信ノード、または、伝達インパルス出力部と、連絡リンクのうち活性状態に設定されている連絡リンクからの連絡インパルス信号の受信に応じて、当該連絡インパルス信号の受信から一定時間だけ遅延した後、伝達インパルス信号を下流側隣接ノードへ出力する連絡インパルス受信部とを含む連絡受信ノードのいずれか一方を用いればよい。
【００１７】
また、連絡インパルス受信部で、連絡リンクごとに当該連絡リンクの有効性を示す感度を保持し、当該感度が基準感度に達しているか否かにより、当該連絡リンクが活性状態か否かを判定するようにしてもよい。
【００１８】
また、連絡受信ノードに、連絡リンクを介した連絡インパルス信号と、その後上流側隣接ノードからの伝達インパルス信号とが、特定の感度増大条件で入力された場合、当該連絡リンクに関する感度を増大させる感度調整部をさらに設けてもよい。
【００１９】
また、本発明にかかる他の記憶方法は、入力された入力データと対応する複数の中間データを連関させて得られた再生データを出力する記憶装置で用いられる記憶方法であって、複数の中間データ記憶部が、予め固有の中間データをそれぞれ記憶し、出力指示信号の入力に応じて当該中間データを出力する中間データ記憶部ステップと、連関ネットワーク部が、入力データの入力に応じて、中間データ記憶部のうち当該入力データと対応する複数の中間データ記憶部を連関させるための出力指示信号を生成して順次出力する連関ネットワークステップと、出力変換部が、中間データ記憶部から複数の中間データを順次受け取ってそれぞれ対応する出力データに変換し、これら中間データのうち最初に受け取った先頭中間データの出力データからなる主データと、先頭中間データの後に受け取った後続中間データの出力データからなる付随データとの組を再生データとして出力する出力変換ステップとを備え、連関ネットワーク部に、中間データ記憶部に対応して設けられて、連絡リンクを介して網状に接続された複数のネットワークユニットと、これらネットワークユニットのうち入力データと対応するいずれか１つを選択するユニット選択部とを設け、ネットワークユニットに、ユニット選択部による選択に応じて、当該ネットワークユニットに対応する中間データ記憶部への出力指示信号を生成して出力するとともに、連絡リンクを介して接続された他のネットワークユニットへ連絡インパルス信号を送信し、連絡リンクのうち活性状態に設定されている連絡リンクからの連絡インパルス信号の受信に応じて、当該連絡インパルス信号の受信から一定時間だけ遅延した後、当該ネットワークユニットに対応する中間データ記憶部へ出力指示信号を出力するステップを設けたものである。
【００２０】
また、本発明にかかるプログラムは、コンピュータを、前述したいずれか１つに記載の記憶装置を構成する各部として動作させるためのプログラムである。
【発明の効果】
【００２１】
本発明によれば、記憶内容を、符号を用いることなく、インパルスを伝えるネットワークの働きの中に組み込み、そこから呼び起される概念をもとに情報を生成することにより、従来の、記憶媒体に符号等で表現された情報を書き込む記憶方法や記憶装置に比べ、符号形式や記憶媒体による制限を少なくすることができ、より豊かな内容を記憶することができる。
【図面の簡単な説明】
【００２２】
【図１】第１の実施の形態にかかる記憶装置の構成例を示すブロック図である。
【図２】第１の実施の形態にかかる記憶装置の別の構成例を示すブロック図である。
【図３】第１の実施の形態にかかる記憶装置が情報を記憶する第１のステップを示す説明図である。
【図４】第１の実施の形態にかかる記憶装置が情報を記憶する第２のステップを示す説明図である。
【図５】第１の実施の形態にかかる記憶装置が情報を再生するステップを示す説明図である。
【図６】第２の実施の形態にかかる記憶装置の構成を示すブロック図である。
【図７】入力変換テーブルの構成例である。
【図８】出力変換テーブルの構成例である。
【図９】連絡送信ノードの構成を示すブロック図である。
【図１０】連絡受信ノードの構成を示すブロック図である。
【図１１】連絡受信ノードでの連絡受信処理を示すフローチャートである。
【図１２】連絡受信ノードでの感度調整処理を示すフローチャートである。
【図１３】記憶装置の動作例を示すシーケンス図である。
【図１４】記憶装置の他の動作例を示すシーケンス図である。
【図１５】第３の実施の形態にかかる記憶装置の構成を示す説明図である。
【図１６】連絡送受信ノードの構成を示すブロック図である。
【図１７】ネットワークユニットの構成例を示すブロック図である。
【図１８】ネットワークユニットの他の構成例を示すブロック図である。
【図１９】ネットワークユニットの他の構成例を示すブロック図である。
【図２０】ネットワークユニットの他の構成例を示すブロック図である。
【発明を実施するための形態】
【００２３】
次に、本発明の実施の形態について図面を参照して説明する。
［第１の実施の形態］
まず、本発明の第１の実施の形態について、図１および図２を用いて説明する。図１は、第１の実施の形態にかかる記憶装置の構成例を示すブロック図である。図２は、第１の実施の形態にかかる記憶装置の別の構成例を示すブロック図である。
【００２４】
記憶装置１は、ネットワークユニット２０１、２０２、２０３、２０４、２０５と、それらネットワークユニットの間を互いに連結する連絡リンク群と、入力ノード駆動部８０１、８０２、８０３、８０４、８０５と、一次情報生成部８１１、８１２、８１３、８１４、８１５と、入力変換部９０１と、出力変換部９０２とから構成されている。
【００２５】
各々のネットワークユニット２０１、２０２、２０３、２０４、２０５においては、それぞれ、入力ノード３０１、３０２、３０３、３０４、３０５から、中継ノード５０１、５０２、５０３、５０４、５０５へ、伝達リンク６０１、６０２、６０３、６０４、６０５で連結され、さらに、中継ノード５０１、５０２、５０３、５０４、５０５から、中継ノード５１１、５１２、５１３、５１４、５１５へ、伝達リンク６１１、６１２、６１３、６１４、６１５で連結され、さらに、中継ノード５１１、５１２、５１３、５１４、５１５から、出力ノード４０１、４０２、４０３、４０４、４０５へ、伝達リンク６２１、６２２、６２３、６２４、６２５で連結されている。
【００２６】
また、ネットワークユニット２０１の中継ノードのうち、中継ノード５０１は、他のネットワークユニット２０２、２０３、２０４、２０５の中継ノード５１２、５１３、５１４、５１５へ、それぞれ連絡リンク７１２、７１３、７１４、７１５で連結され、中継ノード５１１は、他のネットワークユニット２０２、２０３、２０４、２０５の中継ノード５０２、５０３、５０４、５０５から、それぞれ連絡リンク７２１、７３１、７４１、７５１で連結されている。他のネットワークユニット２０２、２０３、２０４、２０５の中継ノード群も、同様に、互いに連絡リンク群で連結されている。
【００２７】
記憶装置１は、ネットワークユニット２０１、２０２、２０３、２０４、２０５と、それらネットワークユニットの間を互いに連結する連絡リンク群と、入力ノード駆動部８０１、８０２、８０３、８０４、８０５と、一次情報生成部８１１、８１２、８１３、８１４、８１５と、入力変換部９０１と、出力変換部９０２とから構成されている。
【００２８】
各々のネットワークユニット２０１、２０２、２０３、２０４、２０５においては、それぞれ、入力ノード３０１、３０２、３０３、３０４、３０５から、中継ノード５０１、５０２、５０３、５０４、５０５へ、伝達リンク６０１、６０２、６０３、６０４、６０５で連結され、さらに、中継ノード５０１、５０２、５０３、５０４、５０５から、出力ノード４０１、４０２、４０３、４０４、４０５へ、伝達リンク６１１、６１２、６１３、６１４、６１５で連結されている。
【００２９】
また、ネットワークユニット２０１の中継ノード５０１は、他のネットワークユニット２０２、２０３、２０４、２０５の中継ノード５０２、５０３、５０４、５０５へ、それぞれ、連絡リンク７１２、７１３、７１４、７１５で連結され、また同じく中継ノード５０２、５０３、５０４、５０５から、連絡リンク７２１、７３１、７４１、７５１で連結されている。他のネットワークユニット２０２、２０３、２０４、２０５の中継ノードも、同様に、互いに連絡リンク群で連結されている。
【００３０】
図１の記憶装置と図２の記憶装置では、連絡インパルスを発する連絡ノードと、連絡インパルスを受ける連絡ノードが、別々であるか同じであるかという違いがあるが、実効的には等価なトポロジーを持っており、この両者を複合した形態も考えられる。以降の説明では、もっぱら図１の構成の記憶装置にもとづいて記述する。
図３は、第１の実施の形態にかかる記憶装置が情報を記憶する第１のステップを示す説明図である。
【００３１】
入力変換部９０１に、「Ａ」で表わされる情報を含んだ刺激１００１が入力される。ここで、この「Ａ」で表わされる情報を含んだ刺激１００１の形態としては、符号などを伝える信号の他にも、例えば、画像や、音声などもあり得る。その場合、入力変換部９０１は、画像認識装置や、音声認識装置などを内蔵する。
すると、入力変換部９０１は、この「Ａ」で表わされる情報に対応する入力ノード駆動部８０１に信号を送る。
【００３２】
入力変換部９０１の機能を、ＣＰＵ、メモリおよびインタフェースを備えたコンピュータと、これらのハードウェア資源を制御するプログラムによって実現する場合、情報の内容と、入力ノード駆動部との対応関係を保持する手段としては、それらをデータベースとして内蔵する方法がある。
もしくは、入力変換部９０１は、「Ａ」で表わされる情報を含んだ信号をすべての入力ノード駆動部に送り、「Ａ」で表わされる情報に対応する入力ノード駆動部８０１のみがこれに反応する、という形態でもよい。
【００３３】
ここで、入力ノード駆動部とネットワークユニットと一次情報生成部はそれぞれ、予め、入力が想定される情報の種類の数だけ用意し、それらのネットワークユニット間を互いに連結しておくものとする。
信号を受けた入力ノード駆動部８０１は、入力ノード３０１にインパルスを印加する。するとインパルスは、入力ノード３０１から、伝達リンク６０１、中継ノード５０１、伝達リンク６１１、中継ノード５１１、伝達リンク６２１、出力ノード４０１と経由して、一次情報生成部８１１に到達する。
【００３４】
このとき、中継ノード５０１はまた、連絡リンク７１２、７１３、７１４、７１５を介して、それぞれ中継ノード５１２、５１３、５１４、５１５にインパルスを送る。ただし、連絡リンク７１２、７１３、７１４、７１５は、この段階では結合が強化されていないので、このようにインパルスを送っても、中継ノード５１２、５１３、５１４、５１５がみずからの下流のノードにそれらを伝達することはない。
【００３５】
一次情報生成部８１１、８１２、８１３、８１４、８１５は、インパルスを受けることにより、それぞれの一次情報生成部に固有の出力を生成して、出力変換部９０２に送る機能を持つ。この場合、インパルスを受けた一次情報生成部８１１は、「○」で表わされる出力を生成して、出力変換部９０２に送る。ここで、「○」で表わされる出力は、記憶装置１の内部でのみ有効な形式であればよく、言語などの、外部と共有できる形式である必要はない。
【００３６】
出力変換部９０２は、それぞれの一次情報生成部からの出力を受け、それらを合成して、言語などの、外部と共有できる形式に変換して出力する機能を持つ。この場合、「○」で表わされる出力から、「α」で表わされる再生された情報１１０１を、言語などの手段で出力する。
【００３７】
出力変換部９０２の機能を、ＣＰＵ、メモリおよびインタフェースを備えたコンピュータと、これらのハードウェア資源を制御するプログラムによって実現する場合、一次情報生成部からの出力を、外部と共有できる形式の情報に変換するために、それらの対応関係を保持する手段としては、データベースとして内蔵する方法がある。
【００３８】
図４は、第１の実施の形態にかかる記憶装置が情報を記憶する第２のステップを示す説明図である。
図３のステップののち一定の時間内に、入力変換部９０１に、「Ｃ」で表わされる情報を含んだ刺激１００２が入力されると、入力変換部９０１は、この「Ｃ」で表わされる情報に対応する入力ノード駆動部８０３に信号を送る。もしくは、入力変換部９０１は、「Ｃ」で表わされる情報を含んだ信号をすべての入力ノード駆動部に送り、「Ｃ」で表わされる情報に対応する入力ノード駆動部８０３のみがこれに反応する、という形態でもよい。
【００３９】
信号を受けた入力ノード駆動部８０３は、入力ノード３０３にインパルスを印加する。するとインパルスは、入力ノード３０３から、伝達リンク６０３、中継ノード５０３、伝達リンク６１３、中継ノード５１３、伝達リンク６２３、出力ノード４０３と経由して、一次情報生成部８１３に到達する。
【００４０】
このとき、中継ノード５０３はまた、連絡リンク７３１、７３２、７３４、７３５を介して、それぞれ中継ノード５１１、５１２、５１４、５１５にインパルスを送る。ただし、連絡リンク７３１、７３２、７３４、７３５は、この段階では結合が強化されていないので、このようにインパルスを送っても、中継ノード５１１、５１２、５１４、５１５がみずからの下流のノードにそれらを伝達することはない。
【００４１】
インパルスを受けた一次情報生成部８１３は、「◎」で表わされる出力を生成して、出力変換部９０２に送る。出力変換部９０２は、「◎」で表わされる出力から、「χ」で表わされる再生された情報１１０２を、言語などの手段で出力する。
このステップで、中継ノード５１３は、連絡リンク７１３を伝わる連絡インパルスを受けたのち一定の時間内に、伝達リンク６１３を伝わる伝達インパルスを受けることにより、連絡リンク７１３に対する感度を高め、連絡リンク７１３の結合が強化される。
【００４２】
ネットワークユニット群および連絡リンク群を、ＣＰＵ、メモリおよびインタフェースを備えたコンピュータと、これらのハードウェア資源を制御するプログラムによって実現する場合、連絡リンクの感度を高めるための具体的な構成としては、それぞれ連絡リンクについて、それらの感度を表す指標となる数値と、それぞれ連結先の中継ノードについて、連絡リンクを経由してインパルスが達したのち一定の時間内持続するフラグを設けておき、そのフラグが有効であるうちに伝達リンクを経由してインパルスを受けた場合、当該の連絡リンクの感度を表す数値を上げる、といった方法などが考えられる。
【００４３】
すると、連絡リンクの結合の強化という形で、情報のもととなる概念の間の関係がネットワークに保持されることによって、「○」と「◎」の結びつきが記憶される。
【００４４】
図５は、第１の実施の形態にかかる記憶装置が情報を再生するステップを示す説明図である。
図３のステップ、図４のステップののち、さらに、入力変換部９０１に、「Ａ」で表わされる情報を含んだ刺激１００１が入力されると、入力変換部９０１は、この「Ａ」で表わされる情報に対応する入力ノード駆動部８０１に信号を送り（もしくは、入力変換部９０１は、「Ａ」で表わされる情報を含んだ信号をすべての入力ノード駆動部に送り、「Ａ」で表わされる情報に対応する入力ノード駆動部８０１のみがこれに反応し）、入力ノード駆動部８０１は、入力ノード３０１にインパルスを印加する。するとインパルスは、入力ノード３０１から、伝達リンク６０１、中継ノード５０１、伝達リンク６１１、中継ノード５１１、伝達リンク６２１、出力ノード４０１と経由して、一次情報生成部８１１に到達する。一次情報生成部８１１は、「○」で表わされる出力を生成し、出力変換部９０２に送る。
【００４５】
それと同時に、中継ノード５０１から連絡リンク７１３を介して中継ノード５１３にインパルスが伝えられるが、連絡リンク７１３は結合が強化されているので、中継ノード５１３はこのインパルスを受けとって、みずからの下流の隣接ノードである出力ノード４０３にインパルスを伝える。インパルスを受けた出力ノード４０３は、一次情報生成部８１３にインパルスを送り、インパルスを受けとった一次情報生成部８１３は、「◎」で表わされる出力を生成し、出力変換部９０２に送る。
【００４６】
このとき、中継ノード５１３は、連絡リンク７１３からのインパルスに応じて一次情報生成部８１３にインパルスを伝える際、一定の遅延を設ける。
したがって、出力変換手段部９０２は、「○」で表わされる出力に付随して、一定の遅延ののちに、「◎」で表わされる出力を受け取り、それらをもとに、「α」と、そしてそれに付随して「χ」、という、「α…χ」で表わされる再生された情報１１０３を、言語などの手段で出力する。
このようにして、「α」で表わされる情報に加え「χ」が付随する、記憶装置１に蓄えられていた、「α…χ」という組み合わせで表わされる情報が再生されたことになる。
【００４７】
なお、本発明は、限られた例に基づいて説明されているが、各請求項に記載された内容を逸脱しない範囲内で、種々の形態が可能であることは言うまでもない。
本実施の形態で説明した記憶装置は、例えばＣＰＵ、メモリおよびインタフェースを備えたコンピュータと、これらのハードウェア資源を制御するプログラムによって実現することができる。ＣＰＵは、メモリに格納されたプログラムに従って本実施の形態で説明した処理を実行する。
【００４８】
［第２の実施の形態］
まず、図６を参照して、本発明の第２の実施の形態にかかる記憶装置について説明する。図６は、第２の実施の形態にかかる記憶装置の構成を示すブロック図である。
【００４９】
この記憶装置１０は、全体としてサーバー装置やパーソナルコンピュータなどの情報処理装置、あるいは半導体チップや回路基板上に形成された電子回路からなり、入力された入力データＩＮと対応する１つ以上の中間データＤを連関させて得られた再生データＯＵＴを出力する機能を有している。
【００５０】
本実施の形態にかかる記憶装置１０は、予め固有の中間データをそれぞれ記憶し、出力指示信号の入力に応じて当該中間データを出力する、複数の中間データ記憶部と、入力データの入力に応じて、中間データ記憶部のうち当該入力データと対応する複数の中間データ記憶部を連関させるための出力指示信号を生成して順次出力する連関ネットワーク部と、中間データ記憶部から複数の中間データを順次受け取ってそれぞれ対応する出力データに変換し、これら中間データのうち最初に受け取った先頭中間データの出力データからなる主データと、先頭中間データの後に受け取った後続中間データの出力データからなる付随データとの組を再生データとして出力する出力変換部とを備えている。
【００５１】
そして、連関ネットワーク部に、中間データ記憶部に対応して設けられて、連絡リンクを介して網状に接続された複数のネットワークユニットと、これらネットワークユニットのうち入力データと対応するいずれか１つを選択するユニット選択部とを設け、ネットワークユニットで、ユニット選択部による選択に応じて、当該ネットワークユニットに対応する中間データ記憶部への出力指示信号を生成して出力するとともに、連絡リンクを介して接続された他のネットワークユニットへ連絡インパルス信号を送信し、連絡リンクのうち活性状態に設定されている連絡リンクからの連絡インパルス信号の受信に応じて、当該連絡インパルス信号の受信から一定時間だけ遅延した後、当該ネットワークユニットに対応する中間データ記憶部へ出力指示信号を出力するようにしたものである。
【００５２】
［記憶装置の構成］
次に、図６を参照して、本実施の形態にかかる記憶装置１０の構成について詳細に説明する。
記憶装置１０には、主な機能部として、連関ネットワーク部ＮＷ、中間データ記憶部Ｍ（Ｍ１〜Ｍ５）、および出力変換部ＴＲが設けられている。ここでは、中間データ記憶部Ｍとして５つ中間データ記憶部Ｍ１〜Ｍ５を設けた場合を例として説明するが、中間データ記憶部Ｍの数についてはこれに限定されるものではない。
【００５３】
連関ネットワーク部ＮＷは、入力データＩＮの入力に応じて、中間データ記憶部Ｍのうち当該入力データと対応する複数の中間データ記憶部Ｍを連関させるための出力指示信号Ｑ（Ｑ１〜Ｑ５）を生成して順次出力する機能を有している。
【００５４】
この連関ネットワーク部ＮＷは、中間データ記憶部Ｍ１〜Ｍ５に対応して設けられて、連絡リンクを介して接続された複数のネットワークユニットＵ（Ｕ１〜Ｕ５）と、これらネットワークユニットＵのうち入力データＩＮと対応するいずれか１つを選択するユニット選択部ＳＥＬとから構成されている。
【００５５】
ユニット選択部ＳＥＬは、入力変換テーブルを参照して、ネットワークユニットＵのうち入力データＩＮと対応するいずれか１つを選択する選択信号Ｓ（Ｓ１〜Ｓ５）を、当該ネットワークユニットＵへ出力する機能を有している。
図７は、入力変換テーブルの構成例である。ここでは、入力データＩＮと選択信号Ｓとの対応関係が予め登録されている。例えば、入力データＩＮとして「Ａ」が入力された場合には、ネットワークユニットＵ１を選択する選択信号Ｓ１を出力するよう登録されている。なお、入力データは、文字や数字などの符号データのほか、画像データや音声データであってもよい。
【００５６】
中間データ記憶部Ｍ（Ｍ１〜Ｍ５）は、予め固有の中間データＤ（Ｄ１〜Ｄ５）をそれぞれ記憶し、出力指示信号Ｑ（Ｑ１〜Ｑ５）の入力に応じて当該中間データＤを出力する機能を有している。
【００５７】
出力変換部ＴＲは、中間データ記憶部Ｍから複数の中間データＤを順次受け取って、出力変換テーブルに基づきそれぞれ対応する出力データに変換する機能と、これら中間データのうち最初に受け取った先頭中間データの出力データからなる主データＯＵＴｍと、先頭中間データの後に受け取った後続中間データの出力データからなる付随データＯＵＴｓとの組を再生データＯＵＴとして出力する機能とを有している。
【００５８】
図８は、出力変換テーブルの構成例である。ここでは、中間データＤと出力データとの対応関係が予め登録されている。例えば、中間データＤ１「○」は、出力データ「α」に変換され、中間データＤ２「◆」と中間データＤ５「□」を同時に受け取った場合は、出力データ「π」に変換される。なお、中間データについては、文字や数字などの意味のあるデータである必要はなく、単なる符号データであってもよい。
【００５９】
［ネットワークユニット］
ネットワークユニットＵ（Ｕ１〜Ｕ５）は、ユニット選択部ＳＥＬからの選択信号Ｓ１〜Ｓ５による選択に応じて、当該ネットワークユニットＵに対応する中間データ記憶部Ｍ１〜Ｍ５への出力指示信号Ｑ１〜Ｑ５を生成して出力する機能と、連絡リンクＣを介して接続された他のネットワークユニットＵへ連絡インパルス信号を送信する機能と、連絡リンクＣのうち活性状態に設定されている連絡リンクＣからの連絡インパルス信号の受信に応じて、当該連絡インパルス信号の受信から一定時間だけ遅延した後、出力指示信号Ｑを出力する機能とを有している。
【００６０】
ネットワークユニットＵ（Ｕ１〜Ｕ５）には、入力ノードＮＩ（ＮＩ１〜ＮＩ５）、１つ以上の中間ノードＮ（ＮＳ１〜ＮＳ５，ＮＲ１〜ＮＲ５）、および出力ノードＮＯ（ＮＯ１〜ＮＯ５）が設けられている。
中間ノードＮには、連絡リンクＣを介して他のネットワークユニットＵへ連絡インパルス信号ＰＣを送信する連絡送信ノードＮＳと、他のネットワークユニットＵから連絡インパルス信号ＰＣを受信する連絡受信ノードＮＲとがある。
【００６１】
図６の例では、ネットワークユニットＵにおいて、入力ノードＮＩ、連絡送信ノードＮＳ、連絡受信ノードＮＲ、および出力ノードＮＯが、順に直列接続されている。
具体的には、ネットワークユニットＵ１において、入力ノードＮＩ１は伝達リンクＴＩ１を介して連絡送信ノードＮＳ１と接続され、連絡送信ノードＮＳ１は伝達リンクＴ１を介して連絡受信ノードＮＲ１と接続され、連絡受信ノードＮＲ１は伝達リンクＴＯ１を介して出力ノードＮＯ１と接続されている。
また、ネットワークユニットＵ２において、入力ノードＮＩ２は伝達リンクＴＩ２を介して連絡送信ノードＮＳ２と接続され、連絡送信ノードＮＳ２は伝達リンクＴ２を介して連絡受信ノードＮＲ２と接続され、連絡受信ノードＮＲ２は伝達リンクＴＯ２を介して出力ノードＮＯ２と接続されている。
【００６２】
また、ネットワークユニットＵ３において、入力ノードＮＩ３は伝達リンクＴＩ３を介して連絡送信ノードＮＳ３と接続され、連絡送信ノードＮＳ３は伝達リンクＴ３を介して連絡受信ノードＮＲ３と接続され、連絡受信ノードＮＲ３は伝達リンクＴＯ３を介して出力ノードＮＯ３と接続されている。
また、ネットワークユニットＵ４において、入力ノードＮＩ４は伝達リンクＴＩ４を介して連絡送信ノードＮＳ４と接続され、連絡送信ノードＮＳ４は伝達リンクＴ４を介して連絡受信ノードＮＲ４と接続され、連絡受信ノードＮＲ４は伝達リンクＴＯ４を介して出力ノードＮＯ４と接続されている。
また、ネットワークユニットＵ５において、入力ノードＮＩ５は伝達リンクＴＩ５を介して連絡送信ノードＮＳ５と接続され、連絡送信ノードＮＳ５は伝達リンクＴ５を介して連絡受信ノードＮＲ５と接続され、連絡受信ノードＮＲ５は伝達リンクＴＯ５を介して出力ノードＮＯ５と接続されている。
【００６３】
また、ネットワークユニットＵの連絡送信ノードＮＳは、他のネットワークユニットＵの連絡受信ノードＮＲと、連絡リンクＣを介してネットワーク状に接続されている。
具体的には、ネットワークユニットＵ１の連絡送信ノードＮＳ１は、連絡リンクＣ１２〜Ｃ１５を介してネットワークユニットＵ２〜Ｕ５の連絡受信ノードＮＲ２〜ＮＲ５と接続されている。
また、ネットワークユニットＵ２の連絡送信ノードＮＳ２は、連絡リンクＣ２１，Ｃ２３〜Ｃ２５を介してネットワークユニットＵ１，Ｕ３〜Ｕ５の連絡受信ノードＮＲ１，ＮＲ３〜ＮＲ５と接続されている。
【００６４】
また、ネットワークユニットＵ３の連絡送信ノードＮＳ３は、連絡リンクＣ３１〜Ｃ３２，Ｃ３４〜Ｃ３５を介してネットワークユニットＵ１〜Ｕ２，Ｕ４〜Ｕ５の連絡受信ノードＮＲ１〜ＮＲ２，ＮＲ４〜ＮＲ５と接続されている。
また、ネットワークユニットＵ４の連絡送信ノードＮＳ４は、連絡リンクＣ４１〜Ｃ４３，Ｃ４５を介してネットワークユニットＵ１〜Ｕ３，Ｕ５の連絡受信ノードＮＲ１〜ＮＲ３，ＮＲ５と接続されている。
また、ネットワークユニットＵ５の連絡送信ノードＮＳ５は、連絡リンクＣ５１〜Ｃ５５を介してネットワークユニットＵ１〜Ｕ５の連絡受信ノードＮＲ１〜ＮＲ５と接続されている。
【００６５】
入力ノードＮＩは、ユニット選択部ＳＥＬからの選択信号Ｓに応じて、パルス状の伝達インパルス信号ＰＴを生成する機能と、この伝達インパルス信号ＰＴを自ノードに隣接する中継ノードＮへ伝達リンクＴＩを介して出力する機能を有している。
【００６６】
出力ノードＮＯは、伝達リンクＴＯを介して自ノードに隣接する中継ノードＮからの伝達インパルス信号ＰＴに応じて出力指示信号Ｑを生成する機能と、この出力指示信号Ｑを当該ネットワークユニットＵと対応する中間データ記憶部Ｍへ出力する機能とを有している。
【００６７】
図９は、連絡送信ノードの構成を示すブロック図である。
連絡送信ノードＮＳ（ＮＳ１〜ＮＳ５）には主な処理部として、伝達インパルス出力部２１と、連絡インパルス送信部２２が設けられている。
伝達インパルス出力部２１は、自ノードに隣接する入力ノードＮＩまたは自ノードの入力ノードＮＩ側に隣接する中継ノードＮのいずれかからなる上流側隣接ノードＮＵからの伝達インパルス信号ＰＴを、自ノードに隣接する出力ノードＮＯまたは自ノードの出力ノードＮＯ側に隣接する中継ノードＮのいずれかからなる下流側隣接ノードＮＬへ出力する機能を有している。
【００６８】
連絡インパルス送信部２２は、自ノードの上流側隣接ノードＮＵからの伝達インパルス信号ＰＴの入力に応じて、パルス状の連絡インパルス信号ＰＣを生成し、連絡リンクＣを介して他のネットワークユニットＵへ送信する機能とを有している。
【００６９】
図１０は、連絡受信ノードの構成を示すブロック図である。
連絡受信ノードＮＲ（ＮＲ１〜ＮＲ５）には主な処理部として、伝達インパルス出力部３１、連絡インパルス受信部３２、および感度調整部３３が設けられている。
伝達インパルス出力部３１は、自ノードの上流側隣接ノードＮＵからの伝達インパルス信号ＰＴを、自ノードの下流側隣接ノードＮＬへ出力する機能を有している。
【００７０】
連絡インパルス受信部３２は、連絡リンクＣごとに当該連絡リンクＣの有効性を示す感度Ｒを記憶保持し、当該感度Ｒが基準感度Ｒｓに達しているか否かにより、当該連絡リンクＣが活性状態か非活性状態かを判定する機能と、連絡リンクＣのうち当該感度Ｒが基準感度Ｒｓに達しており、活性状態に設定されている連絡リンクＣからの連絡インパルス信号ＰＣの受信に応じて、当該連絡インパルス信号ＰＣの受信から、予め設定されている一定の遅延時間Ｔｄだけ遅延して伝達インパルス信号ＰＴを、自ノードの下流側隣接ノードＮＬへ出力する機能を有している。
【００７１】
感度調整部３３は、自ノードの上流側隣接ノードＮＵからの伝達インパルス信号ＰＴと、任意の連絡リンクＣｉからの連絡インパルス信号ＰＣｉとが、特定の感度増大条件で入力された場合、当該連絡リンクＣｉに関する感度ＲｉをΔＲｕだけ増大させる機能と、任意の連絡リンクＣｉについて特定の感度低減条件が成立した場合、当該連絡リンクＣｉに関する感度ＲｉをΔＲｄだけ低減させる機能とを有している。
【００７２】
この際、感度増大条件としては、連絡インパルス信号ＰＣｉを受信した時点から基準時間Ｔｓ経過内に伝達インパルス信号ＰＴが入力された場合、などの条件が用いられる。また、感度低減条件としては、任意の連絡リンクＣｉの感度Ｒｉを増大または低減してから、予め設定されている忘却時間Ｔｆ以上経過した場合、などの条件が用いられる。
【００７３】
図１１は、連絡受信ノードでの連絡受信処理を示すフローチャートである。
連絡インパルス受信部３２は、他のネットワークユニットＵから連絡リンクＣｉを介して連絡インパルス信号ＰＣを受信した場合、図１１の連絡受信処理を実行する。
まず、当該連絡リンクＣｉの感度Ｒｉが予め設定されている基準感度Ｒｓに達しているか確認し（ステップ１００）、感度Ｒｉが基準感度Ｒｓに達しておらず活性状態に設定されていない場合（ステップ１００：ＮＯ）、一連の連絡受信処理を終了する。
【００７４】
一方、感度Ｒｉが基準感度Ｒｓに達しており活性状態に設定されている場合（ステップ１００：ＹＥＳ）、当該連絡インパルス信号ＰＣの受信時点から遅延時間Ｔｄだけ経過するまで待機した後（ステップ１０１）、下流側隣接ノードＮＬに対して伝達インパルス信号ＰＴを出力し（ステップ１０２）、一連の連絡受信処理を終了する。これにより、下流側隣接ノードＮＬに対して伝達インパルス信号ＰＴが出力される。
【００７５】
図１２は、連絡受信ノードでの感度調整処理を示すフローチャートである。
感度調整部３３は、自ノードの上流側隣接ノードＮＵから伝達インパルス信号ＰＴが入力された場合、図１２の感度調整処理を実行する。
【００７６】
まず、感度増大条件の成立確認処理として、任意の連絡リンクＣｉから連絡インパルス信号ＰＣを受信した時点から基準時間Ｔｓ経過するまでの有効期間に、当該伝達インパルス信号が入力されたか確認する（ステップ１１０）。この際、例えば連絡インパルス受信部３２で、連絡インパルス信号ＰＣの受信時点からタイマで計時を開始し、計時中を示すフラグ信号を出力すれば、感度調整部３３で有効期間を確認できる。
【００７７】
ここで、有効期間内に連絡インパルス信号ＰＣを受信しており、感度増大条件が成立した場合（ステップ１１０：ＹＥＳ）、当該連絡インパルス信号ＰＣを受信した連絡リンクＣｉの感度ＲｉをΔＲｕだけ増加（Ｒｉ＋ΔＲｕ）させる（ステップ１１１）。また、有効期間内に連絡インパルス信号ＰＣを受信しておらず、感度増大条件が成立しない場合（ステップ１１０：ＮＯ）、感度Ｒｉの変更は行わない。
【００７８】
この後、感度低減条件の成立確認処理として、当該連絡受信ノードＮＲに接続されている各連絡リンクＣのうち、最後に感度Ｒを変更、すなわち増大または低減した時点から、忘却時間Ｔｆ以上経過したものがあるか確認する（ステップ１１２）。
ここで、忘却時間Ｔｆ以上経過した連絡リンクＣｉが存在しており、感度低減条件が成立した場合（ステップ１１２：ＹＥＳ）、当該連絡リンクＣｉの感度ＲｉをΔＲｄだけ低減（Ｒｉ−ΔＲｄ）させ（ステップ１１３）、一連の感度調整処理を終了する。また、忘却時間Ｔｆ以上経過した連絡リンクＣｉが存在しておらず、感度低減条件が成立しない場合（ステップ１１２：ＮＯ）、感度Ｒｉの変更を行わず、一連の感度調整処理を終了する。
【００７９】
［第２の実施の形態の動作］
次に、図１３および図１４を参照して、本実施の形態にかかる記憶装置の動作について説明する。図１３は、記憶装置の動作例を示すシーケンス図である。図１４は、記憶装置の他の動作例を示すシーケンス図である。
まず、図１３を参照して、入力データ「Ａ」に続いて入力データ「Ｃ」が入力されたことにより、中間データ記憶部Ｍ１に対して中間データ記憶部Ｍ３が連関される場合について説明する。
【００８０】
入力データ「Ａ」が入力された場合（ステップ１５０）、連関ネットワーク部ＮＷのユニット選択部ＳＥＬは、入力変換テーブルに基づいて入力データ「Ａ」に対応する選択信号Ｓ１を出力する（ステップ１５１）。
ネットワークユニットＵ１の入力ノードＮＩ１は、ユニット選択部ＳＥＬからの選択信号Ｓ１に応じて、伝達インパルス信号ＰＴ１を生成し、この伝達インパルス信号ＰＴ１を自ノードの下流側隣接ノードＮＬである連絡送信ノードＮＳ１へ出力する（ステップ１５１）。
【００８１】
連絡送信ノードＮＳ１は、入力ノードＮＩ１からの伝達インパルス信号ＰＴ１の入力に応じて、当該伝達インパルス信号ＰＴ１を自ノードの下流側隣接ノードＮＬである連絡受信ノードＮＲ１へ出力するとともに（ステップ１５２）、連絡インパルス信号ＰＣ１を生成し、連絡リンクＣ１２〜Ｃ１５を介して他のネットワークユニットＵ２〜Ｕ５へ送信する（ステップ１５３）。
【００８２】
連絡受信ノードＮＲ１は、連絡送信ノードＮＳ１からの伝達インパルス信号ＰＴ１の入力に応じて、当該伝達インパルス信号ＰＴ１を自ノードの下流側隣接ノードＮＬである出力ノードＮＯ１へ出力する（ステップ１５４）。
出力ノードＮＯ１は、この伝達インパルス信号ＰＴ１の入力に応じて出力指示信号Ｑ１を生成し、当該ネットワークユニットＵ１と対応する中間データ記憶部Ｍ１へ出力する（ステップ１５４）。
【００８３】
一方、ネットワークユニットＵ３の連絡受信ノードＮＲ３は、連絡送信ノードＮＳ１からの連絡インパルス信号ＰＣ１の入力に応じて、当該連絡インパルス信号ＰＣ１を受信した連絡リンクＣ１３の感度Ｒと基準感度Ｒｓとを比較する（ステップ１５５）。この場合、感度Ｒが基準感度Ｒｓに達しておらず（Ｒ＜Ｒｓ）、連絡リンクＣ１３が非活性状態となっているため、当該連絡インパルス信号ＰＣ１に応じた伝達インパルス信号ＰＴ３は出力されない。このことはネットワークユニットＵ２，Ｕ４〜Ｕ５も同様とする。
これにより、連関ネットワーク部ＮＷからは、中間データ記憶部Ｍ１に対してのみ出力指示信号Ｑ１が出力される。
【００８４】
中間データ記憶部Ｍ１は、ネットワークユニットＵ１からの出力指示信号Ｑ１の入力に応じて、予め記憶する中間データＤ１「○」を出力変換部ＴＲへ出力する（ステップ１５６）。
出力変換部ＴＲは、中間データ記憶部Ｍ１からの中間データＤ１「○」を受け取り、出力変換テーブルに基づいて出力データ「α」に変換する（ステップ１５７）。
【００８５】
この場合、中間データ記憶部Ｍ１に連関して中間データ記憶部Ｍ２〜Ｍ５が選択されないことから、中間データＤ１「○」から遅延時間Ｔｄ経過しても、中間データ記憶部Ｍ２〜Ｍ５から中間データＤ２〜Ｄ５は出力されない。
したがって、出力変換部ＴＲは、最初に受け取った中間データＤ１「○」を変換して得られた出力データ「α」からなる主データＯＵＴｍのみを、入力データ「Ａ」に関する再生データＯＵＴとして出力する（ステップ１５８）。
【００８６】
この後、入力データ「Ａ」の入力時点から基準時間Ｔｓが経過する前に、入力データ「Ｃ」が入力された場合（ステップ１６０）、連関ネットワーク部ＮＷのユニット選択部ＳＥＬは、入力変換テーブルに基づいて入力データ「Ｃ」に対応する選択信号Ｓ３を出力する（ステップ１６１）。
ネットワークユニットＵ３の入力ノードＮＩ３は、ユニット選択部ＳＥＬからの選択信号Ｓ３に応じて、伝達インパルス信号ＰＴ３を生成し、この伝達インパルス信号ＰＴ３を自ノードの下流側隣接ノードＮＬである連絡送信ノードＮＳ３へ出力する（ステップ１６１）。
【００８７】
連絡送信ノードＮＳ３は、入力ノードＮＩ３からの伝達インパルス信号ＰＴ３の入力に応じて、当該伝達インパルス信号ＰＴ３を自ノードの下流側隣接ノードＮＬである連絡受信ノードＮＲ３へ出力するとともに（ステップ１６２）、連絡インパルス信号ＰＣ３を生成し、連絡リンクＣ３１〜Ｃ３２，Ｃ３４〜Ｃ３５を介して他のネットワークユニットＵ１〜Ｕ２，Ｕ４〜Ｕ５へ送信する（ステップ１６３）。
【００８８】
連絡受信ノードＮＲ３は、連絡送信ノードＮＳ３からの伝達インパルス信号ＰＴ３の入力に応じて、当該伝達インパルス信号ＰＴ３を自ノードの下流側隣接ノードＮＬである出力ノードＮＯ３へ出力する（ステップ１６４）。
出力ノードＮＯ３は、この伝達インパルス信号ＰＴ３の入力に応じて出力指示信号Ｑ３を生成し、当該ネットワークユニットＵ３と対応する中間データ記憶部Ｍ３へ出力する（ステップ１６４）。
【００８９】
また、連絡受信ノードＮＲ３は、連絡インパルス信号ＰＣ１の受信から基準時間Ｔｓ経過内に伝達インパルス信号ＰＴ３が入力されており、感度増大条件が成立したことから、当該連絡インパルス信号ＰＣ１を受信した連絡リンクＣ１３の感度ＲをΔＲｕだけ増大させる（ステップ１６５）。これにより、連絡リンクＣ１３の感度Ｒが基準感度Ｒｓに達したものとすると、これ以降、連絡リンクＣ１３からの連絡インパルス信号ＰＣ１に応じて、伝達インパルス信号ＰＴ３が出力されることになり、結果として中間データ記憶部Ｍ１に対して中間データ記憶部Ｍ３が連関されたことになる。
【００９０】
一方、ネットワークユニットＵ１の連絡受信ノードＮＲ１は、連絡送信ノードＮＳ３からの連絡インパルス信号ＰＣ３の入力に応じて、当該連絡インパルス信号ＰＣ３を受信した連絡リンクＣ１３の感度Ｒと基準感度Ｒｓとを比較する（ステップ１６６）。この場合、感度Ｒが基準感度Ｒｓに達しておらず（Ｒ＜Ｒｓ）、連絡リンクＣ１３が非活性状態となっているため、当該連絡インパルス信号ＰＣ１に応じた伝達インパルス信号ＰＴ３は出力されない。このことはネットワークユニットＵ２，Ｕ４〜Ｕ５も同様とする。
これにより、連関ネットワーク部ＮＷからは、中間データ記憶部Ｍ３に対してのみ出力指示信号Ｑ３が出力される。
【００９１】
中間データ記憶部Ｍ３は、ネットワークユニットＵ３からの出力指示信号Ｑ３の入力に応じて、予め記憶する中間データＤ３「◎」を出力変換部ＴＲへ出力する（ステップ１６７）。
出力変換部ＴＲは、中間データ記憶部Ｍ３からの中間データＤ３「◎」を受け取り、出力変換テーブルに基づいて出力データ「χ」に変換する（ステップ１６８）。
【００９２】
この場合、中間データ記憶部Ｍ３に連関して中間データ記憶部Ｍ１〜Ｍ２，Ｍ４〜Ｍ５が選択されないことから、中間データＤ１「◎」の出力時点から遅延時間Ｔｄ経過しても、中間データ記憶部Ｍ１〜Ｍ２，Ｍ４〜Ｍ５から中間データＤ１〜Ｄ２，Ｄ４〜Ｄ５は出力されない。
したがって、出力変換部ＴＲは、最初に受け取った中間データＤ３「◎」を変換して得られた出力データ「χ」からなる主データＯＵＴｍのみを、入力データ「Ｃ」に関する再生データＯＵＴとして出力する（ステップ１６９）。
【００９３】
次に、図１４を参照して、入力データ「Ａ」された際に、入力データ「Ａ」に対応する主データ「α」と入力データ「Ｃ」に対応する付随データ「χ」が再生データＯＵＴとして出力される場合を例として説明する。
【００９４】
前述のようにして、連絡リンクＣ１３の感度Ｒが増加して、基準感度Ｒｓに達しており、中間データ記憶部Ｍ１に対して中間データ記憶部Ｍ３が連関されている状態で、入力データ「Ａ」が入力された場合（ステップ１７０）、連関ネットワーク部ＮＷのユニット選択部ＳＥＬは、入力変換テーブルに基づいて入力データ「Ａ」に対応する選択信号Ｓ１を出力する（ステップ１７１）。
ネットワークユニットＵ１の入力ノードＮＩ１は、ユニット選択部ＳＥＬからの選択信号Ｓ１に応じて、伝達インパルス信号ＰＴ１を生成し、この伝達インパルス信号ＰＴ１を自ノードの下流側隣接ノードＮＬである連絡送信ノードＮＳ１へ出力する（ステップ１７１）。
【００９５】
連絡送信ノードＮＳ１は、入力ノードＮＩ１からの伝達インパルス信号ＰＴ１の入力に応じて、当該伝達インパルス信号ＰＴ１を自ノードの下流側隣接ノードＮＬである連絡受信ノードＮＲ１へ出力するとともに（ステップ１７２）、連絡インパルス信号ＰＣ１を生成し、連絡リンクＣ１２〜Ｃ１５を介して他のネットワークユニットＵ２〜Ｕ５へ送信する（ステップ１７３）。
【００９６】
連絡受信ノードＮＲ１は、連絡送信ノードＮＳ１からの伝達インパルス信号ＰＴ１の入力に応じて、当該伝達インパルス信号ＰＴ１を自ノードの下流側隣接ノードＮＬである出力ノードＮＯ１へ出力する（ステップ１７４）。
出力ノードＮＯ１は、この伝達インパルス信号ＰＴ１の入力に応じて出力指示信号Ｑ１を生成し、当該ネットワークユニットＵ１と対応する中間データ記憶部Ｍ１へ出力する（ステップ１７４）。
【００９７】
一方、ネットワークユニットＵ３の連絡受信ノードＮＲ３は、連絡送信ノードＮＳ１からの連絡インパルス信号ＰＣ１の入力に応じて、当該連絡インパルス信号ＰＣ１を受信した連絡リンクＣ１３の感度Ｒと基準感度Ｒｓとを比較する（ステップ１７５）。この場合、前述したステップ１６５により感度Ｒが増加して基準感度Ｒｓに達しており（Ｒ≧Ｒｓ）、連絡リンクＣ１３が活性状態となっているため、当該連絡インパルス信号ＰＣ１の受信から遅延時間Ｔｄだけ遅延した後、伝達インパルス信号ＰＴ３を、自ノードの下流側隣接ノードＮＬである出力ノードＮＯ１へ出力する（ステップ１７６）。
【００９８】
出力ノードＮＯ３は、この伝達インパルス信号ＰＴ３の入力に応じて出力指示信号Ｑ３を生成し、当該ネットワークユニットＵ３と対応する中間データ記憶部Ｍ３へ出力する（ステップ１７６）。
なお、ネットワークユニットＵ２，Ｕ４〜Ｕ５では、ネットワークユニットＵ１との間の各連絡リンクＣ１２，Ｃ１４〜Ｃ１５の感度Ｒが基準感度Ｒｓに達していないものとする。
これにより、連関ネットワーク部ＮＷからは、中間データ記憶部Ｍ１に対して出力指示信号Ｑ１が出力された後、遅延時間Ｔｄだけ経過した時点で、中間データ記憶部Ｍ３に対して出力指示信号Ｑ３が出力される。
【００９９】
中間データ記憶部Ｍ１は、ネットワークユニットＵ１からの出力指示信号Ｑ１の入力に応じて、予め記憶する中間データＤ１「○」を出力変換部ＴＲへ出力する（ステップ１７７）。
出力変換部ＴＲは、中間データ記憶部Ｍ１からの中間データＤ１「○」を受け取り、出力変換テーブルに基づいて出力データ「α」に変換する（ステップ１７８）。
【０１００】
また、中間データ記憶部Ｍ３は、ネットワークユニットＵ３からの出力指示信号Ｑ３の入力に応じて、予め記憶する中間データＤ３「◎」を出力変換部ＴＲへ出力する（ステップ１７９）。
出力変換部ＴＲは、中間データ記憶部Ｍ３からの中間データＤ３「◎」を受け取り、出力変換テーブルに基づいて出力データ「χ」に変換する（ステップ１８０）。
【０１０１】
この場合、中間データ記憶部Ｍ１に連関して中間データ記憶部Ｍ３が選択されることから、中間データＤ１「○」から遅延時間Ｔｄ経過した時点で、中間データ記憶部Ｍ３からも中間データＤ３「◎」が出力される。
したがって、出力変換部ＴＲは、最初に受け取った中間データＤ１「○」を変換して得られた出力データ「α」からなる主データＯＵＴｍと、この中間データＤ１から遅延時間Ｔｄ経過後に受け取った中間データＤ３「◎」を変換して得られた出力データ「χ」からなる付随データＯＵＴｓとを、入力データ「Ａ」に関する再生データＯＵＴとして出力する（ステップ１８１）。
【０１０２】
［第２の実施の形態の効果］
このように、本実施の形態は、複数の中間データ記憶部Ｍで、予め固有の中間データＤをそれぞれ記憶しておき、連関ネットワーク部ＮＷにより、入力データＩＮの入力に応じて、中間データ記憶部Ｍのうち当該入力データと対応する複数の中間データ記憶部Ｍを連関させるための出力指示信号Ｑを生成して順次出力し、出力変換部ＴＲにより、中間データ記憶部Ｍから複数の中間データを順次受け取ってそれぞれ対応する出力データに変換し、これら中間データのうち最初に受け取った先頭中間データの出力データからなる主データと、先頭中間データの後に受け取った後続中間データの出力データからなる付随データとの組を再生データＯＵＴとして出力するようにしたものである。
【０１０３】
そして、連関ネットワーク部ＮＷに、中間データ記憶部Ｍに対応して、連絡リンクＣを介して網状に接続された複数のネットワークユニットＵを設けるとともに、これらネットワークユニットＵのうち入力データと対応するいずれか１つを選択するユニット選択部ＳＥＬを設け、ネットワークユニットＵで、ユニット選択部ＳＥＬによる選択に応じて、当該ネットワークユニットＵに対応する中間データ記憶部Ｍへの出力指示信号Ｑを生成して出力するとともに、連絡リンクＣを介して接続された他のネットワークユニットＵへ連絡インパルス信号ＰＣを送信し、連絡リンクＣのうち活性状態に設定されている連絡リンクＣからの連絡インパルス信号ＰＣの受信に応じて、当該連絡インパルス信号ＰＣの受信から遅延して出力指示信号Ｑを出力するようにしたものである。
【０１０４】
これにより、入力データＩＮの入力に応じて、連関ネットワーク部ＮＷで、当該入力データＩＮと対応するいずれか１つのネットワークユニットＵが選択されて、当該ネットワークユニットＵと対応する中間データ記憶部Ｍから中間データＤが読み出され、出力変換部ＴＲで主データＯＵＴｍに変換される。また、当該ネットワークユニットＵから活性状態に設定されている連絡リンクＣを介して他のネットワークユニットＵへ連絡インパルス信号ＰＣが送信され、当該他のネットワークユニットＵと対応する中間データ記憶部Ｍから中間データＤが読み出され、出力変換部ＴＲで付随データＯＵＴｓに変換される。そして、これら主データＯＵＴｍと付随データＯＵＴｓとの組が、入力データＩＮに対する再生データＯＵＴとして出力される。
【０１０５】
したがって、任意の入力データが与えられた場合、複数の中間データが連関ネットワーク部ＮＷにより連関されるため、当該入力データから直接想起される主データだけでなく、当該主データと連関する付随データを含んだ再生データを得ることができる。
これにより、中間データを概念と見なした際、予め記憶する個々の概念のうちから、いくつかの概念を連関させて、新たな概念を想起していることになり、結果としてヒトの記憶プロセスと同様の記憶再生プロセスを実現することが可能となる。
【０１０６】
また、本実施の形態では、各ネットワークユニットＵにおいて、連絡リンクＣごとに当該連絡リンクの有効性を示す感度Ｒを保持しておき、当該感度Ｒが基準感度Ｒｓに達しているか否かにより、当該連絡リンクが活性状態か否かを判定するようにしたので、感度Ｒを調整することにより、連絡リンクの活性状態を制御することができる。これにより、連関ネットワーク部ＮＷの構成、すなわち連関されるネットワークユニットＵを変更することができ、結果として、主データと付随データとの連関を変更して、任意の再生データを記憶させることが可能となる。
これにより、中間データを概念と見なした際、予め記憶する個々の概念のうちから、いくつかの概念を連関させて、新たな概念を構築していることになり、結果としてヒトの記憶プロセスと同様の記憶構築プロセスを実現することが可能となる。
【０１０７】
具体的には、任意のネットワークユニットＵで、連絡リンクを介した連絡インパルス信号の受信と、その後のユニット選択部ＳＥＬによる新たな選択とが、特定の感度増大条件で発生した場合、例えば連絡インパルス信号を受信した時点から基準時間経過内に新たな選択が発生した場合、当該連絡リンクに関する感度を増大させるようにしたので、入力データの与え方などにより、記憶装置１０の外部から、記憶装置１０内部の連関ネットワーク部ＮＷの構成を設定することができる。この際、基準感度Ｒｓと感度増大幅ΔＲｕとを調整することにより、感度増大条件が複数回成立して初めて、当該連絡リンクＣが活性状態となることから、結果としてヒトの記憶プロセスと極めて類似する記憶構築プロセスを実現することが可能となる。
【０１０８】
また、本実施の形態では、任意のネットワークユニットＵで、特定の感度低減条件が成立した場合、例えば最後に感度Ｒを変更した時点から、忘却時間Ｔｆ以上経過した場合、当該連絡リンクに関する感度を低減させるようにしたので、時間の経過などにより、連関ネットワーク部ＮＷの構成、すなわち主データと付随データとの連関を解消することができる。
これにより、中間データを概念と見なした際、いくつかの概念を連関させて構築していた新たな概念を消失させることになり、結果としてヒトの記憶プロセスと同様の記憶忘却プロセスを実現することが可能となる。この際、基準感度Ｒｓと感度低減幅ΔＲｄとを調整することにより、感度低減条件が複数回成立して初めて、当該連絡リンクＣが非活性状態となることから、結果としてヒトの記憶プロセスと極めて類似する記憶忘却プロセスを実現することが可能となる。
【０１０９】
［第３の実施の形態］
次に、図１５を参照して、本発明の第３の実施の形態にかかる記憶装置１０について説明する。図１５は、第３の実施の形態にかかる記憶装置の構成を示す説明図であり、前述した図６と同じまたは同様部分には同一符号を付してある。
【０１１０】
第２の実施の形態では、ネットワークユニットＵの中間ノードを、連絡送信ノードＮＳと連絡受信ノードＮＲの２つで構成した場合を例として説明した。本実施の形態では、これら連絡送信ノードＮＳと連絡受信ノードＮＲを、１つの連絡送受信ノードＮＣで構成する場合について説明する。
【０１１１】
本実施の形態において、ネットワークユニットＵには、入力ノードＮＩ（ＮＩ１〜ＮＩ５）、１つ以上の連絡送受信ノードＮＣ（ＮＣ１〜ＮＣ５）、および出力ノードＮＯ（ＮＯ１〜ＮＯ５）が設けられている。このうち、入力ノードＮＩおよび出力ノードＮＯは、第２の実施の形態と同様の構成を持ち、連絡送受信ノードＮＣは、連絡送信ノードＮＳと連絡受信ノードＮＲの機能を併せ持っている。
【０１１２】
図１６は、連絡送受信ノードの構成を示すブロック図である。
連絡送受信ノードＮＣ（ＮＣ１〜ＮＣ５）には主な処理部として、伝達インパルス出力部４１、連絡インパルス送信部４２、連絡インパルス受信部４３、および感度調整部４４が設けられている。
これら処理部の動作については、前述の第２の実施の形態と同様であり、ここでの詳細の説明は省略する。また、この他の構成についても前述の第２の実施の形態と同様であり、ここでの詳細の説明は省略する。
【０１１３】
［第４の実施の形態］
次に、図１７〜図２０を参照して、本発明の第４の実施の形態にかかる記憶装置１０について説明する。
第２の実施の形態では、ネットワークユニットＵの中間ノードを、連絡送信ノードＮＳと連絡受信ノードＮＲの２つで構成した場合を例として説明した。
本実施の形態では、第２および第３の実施の形態にかかるネットワークユニットＵの構成に関するパリエーションについて説明する。なお、図１７〜図２０のうち、前述の図６，１５と同じまたは同様部分には同一符号を付してある。
【０１１４】
図１７は、ネットワークユニットの構成例を示すブロック図である。
このネットワークユニットＵは、第２の実施の形態と比較して、連絡送信ノードＮＳと連絡受信ノードＮＲの組が２組設けられている。すなわち、入力ノードＮＩ、連絡送信ノードＮＳ１、連絡受信ノードＮＲ１、連絡送信ノードＮＳ２、連絡受信ノードＮＲ２、および出力ノードＮＯが、順に直列接続されている。
【０１１５】
この構成によれば、連絡リンクが２層にわたって接続されるため、例えば連絡受信ノードＮＲ１で受信した連絡インパルス信号ＰＣを、その下流側の連絡送信ノードＮＳ２で他のネットワークユニットＵへ転送することができる。したがって、ネットワークユニットＵ間をより複雑に連関させることができ、極めて多くの再生データを記憶することが可能となる。なお、連絡送信ノードＮＳと連絡受信ノードＮＲの組については、２組に限定されるものではなく３組以上設けてもよい。
【０１１６】
図１８は、ネットワークユニットの他の構成例を示すブロック図である。
このネットワークユニットＵは、図１７にかかる連絡送信ノードＮＳと連絡受信ノードＮＲの組を、第２の実施の形態にかかる連絡送受信ノードＮＣで置換したものである。すなわち、入力ノードＮＩ、連絡送受信ノードＮＣ１、連絡送受信ノードＮＣ２、および出力ノードＮＯが、順に直列接続されている。したがって、図１７と同様の作用効果が得られる。
【０１１７】
図１９は、ネットワークユニットの他の構成例を示すブロック図である。
このネットワークユニットＵは、第２の実施の形態にかかる連絡送信ノードＮＳと連絡受信ノードＮＲの接続位置を入れ替えたものである。すなわち、入力ノードＮＩ、連絡受信ノードＮＲ、連絡送信ノードＮＳ、および出力ノードＮＯが、順に直列接続されている。
【０１１８】
この構成によれば、連絡受信ノードＮＲで受信した連絡インパルス信号ＰＣを、その下流側の連絡送信ノードＮＳで他のネットワークユニットＵへ転送することができる。したがって、ネットワークユニットＵ間をより複雑に連関させることができ、極めて多くの再生データを記憶することが可能となる。なお、図１９の構成をすべてのネットワークユニットＵに適用した際、場合によっては連絡インパルス信号ＰＣが循環する場合が考えられる。したがって、このような循環が発生しないように連絡リンクを接続してもよく、特定のネットワークユニットにのみ図１９の構成を適用してもよい。
【０１１９】
図２０は、ネットワークユニットの他の構成例を示すブロック図である。
このネットワークユニットＵは、図１７の構成に対して図１９の構成を適用したものである。すなわち、入力ノードＮＩ、連絡受信ノードＮＲ１、連絡送信ノードＮＳ１、連絡受信ノードＮＲ２、連絡送信ノードＮＳ２、および出力ノードＮＯが、順に直列接続されている。したがって、図１７および図２０と同様の作用効果が得られる。
【０１２０】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【０１２１】
また、第２の実施の形態では、連絡受信ノードＮＲにおいて、連絡リンクの感度を調整することにより、書込可能ないわゆるＲＡＭ（random-access memory）型の記憶装置を構築する場合について説明したが、記憶装置１０のうち、再生データを単に読み出す機能だけを利用する場合には、感度調整機能を設ける必要はない。これにより、読み出し専用、いわゆるＲＯＭ（read-only memory）型の記憶装置を構築することが可能となる。
【０１２２】
この場合、任意のネットワークユニットＵの連絡送信ノードＮＳから、他のすべてのネットワークユニットＵの連絡受信ノードＮＲに対して、連絡リンクＣを接続しておき、これら連絡リンクＣのうち、連関が必要なネットワークユニットＵ間を結ぶ連絡リンクＣに対してのみ活性状態に設定し、例えば連関が必要なネットワークユニットＵ間を結ぶ連絡リンクＣの感度Ｒに対してのみ、基準感度Ｒｓ以上の固定値を設定すればよい。
【０１２３】
また、第２の実施の形態では、連関ネットワーク部ＮＷのユニット選択部ＳＥＬにおいて、入力変換テーブルを参照して、入力データと対応する選択信号Ｓを出力することにより、いずれか１つのネットワークユニットＵを選択する場合を例として説明したが、ネットワークユニットＵの選択方法については、これに限定されるものではなく、ユニット選択部ＳＥＬを、各ネットワークユニットＵの入力段に分散配置してもよい。
【０１２４】
例えば、各ネットワークユニットＵに設けたユニット選択部で、当該ネットワークユニットＵが選択される対象入力データを予め記憶しておき、入力された入力データが対象入力データと一致した場合にのみ、ユニット選択部から入力ノードＮＩに対して選択信号Ｓを出力するようにしてもよい。
【０１２５】
また、第４の実施の形態では、ネットワークユニットＵの構成として、連絡送信ノードＮＳと連絡受信ノードＮＲの組が、１つ以上、入力ノードＮＩと出力ノードＮＯとの間に直列接続されている場合を例として説明したが、これに限定されるものではなく、組を分解して接続してもよい。例えば、互いに異なる数の連絡送信ノードＮＳと連絡受信ノードＮＲで構成してもよく、連絡送信ノードＮＳまたは連絡受信ノードＮＲのいずれか一方を連続して直列接続してもよく、連絡送信ノードＮＳと連絡受信ノードＮＲのいずれか一方のみを１つ以上直列接続してもよい。
【０１２６】
また、第４の実施の形態では、いくつかのネットワークユニットＵの構成例について説明したが、これら構成例のいずれか１つをすべてのネットワークユニットＵに適用してもよく、あるいは、異なる構成例を適用したネットワークユニットＵを任意に組み合わせてもよい。
【符号の説明】
【０１２７】
１…記憶装置、２０１，〜，２０５…ネットワークユニット、３０１，〜，３０５…入力ノード、４０１，〜，４０５…出力ノード、５０１，〜，５０５，５１１，〜，５１５…中継ノード、６０１，〜，６０５，６１１，〜，６１５，６２１，〜，６２５…伝達リンク、７１２，〜，７１５，７２１，７２３，〜，７２５，７３１，７３２，７３４，７３５，７４１，〜，７４３，７４５，７５１，〜，７５４…連絡リンク、８０１，〜，８０５…入力ノード駆動部、８１１，〜，８１５…一次情報生成部、９０１…入力変換部、９０２…出力変換部、１００１、１００２…情報を含んだ刺激、１１０１、１１０２、１１０３…再生された情報、１０…記憶装置、ＮＷ…連関ネットワーク部、Ｍ，Ｍ１，〜，Ｍ５…中間データ記憶部、ＴＲ…出力変換部、ＳＥＬ…ユニット選択部、Ｕ，Ｕ１，〜，Ｕ５…ネットワークユニット、ＮＩ，ＮＩ１，〜，ＮＩ５…入力ノード、ＮＳ，ＮＳ１，〜，ＮＳ５，ＮＳＡ，ＮＳＢ…連絡送信ノード、ＮＲ，ＮＲ１，〜，ＮＲ５，ＮＲＡ，ＮＲＢ…連絡受信ノード、ＮＣ，ＮＣ１，〜，ＮＣ５，ＮＣＡ，ＮＣＢ…連絡送受信ノード、ＮＯ，ＮＯ１，〜，ＮＯ５…出力ノード、ＮＵ…上流側隣接ノード、ＮＬ…下流側隣接ノード、Ｔ１，〜，Ｔ５…伝達リンク、Ｃ，Ｃ１２，〜，Ｃ１５，Ｃ２１，Ｃ２３，〜，Ｃ２５，Ｃ３１，Ｃ３２，Ｃ３４，Ｃ３５，Ｃ４１，〜，Ｃ４３，Ｃ４５，Ｃ５１，〜，Ｃ５４…連絡リンク、２１…伝達インパルス出力部、２２…連絡インパルス送信部、３１…伝達インパルス出力部、３２…連絡インパルス受信部、３３…感度調整部、４１…伝達インパルス出力部、４２…連絡インパルス送信部、４３…連絡インパルス受信部、４４…感度調整部、ＩＮ…入力データ、Ｓ，Ｓ１，〜，Ｓ５…選択信号、ＰＴ…伝達インパルス信号、ＰＣ…連絡インパルス信号、Ｑ，Ｑ１，〜，Ｑ５…出力指示信号、Ｄ，Ｄ１，〜，Ｄ５…中間データ、ＯＵＴ…再生データ。
【図１】
2012003378.tif 000003
【図２】
2012003378.tif 000004
【図３】
2012003378.tif 000005
【図４】
2012003378.tif 000006
【図５】
2012003378.tif 000007
【図６】
2012003378.tif 000008
【図７】
2012003378.tif 000009
【図８】
2012003378.tif 000010
【図９】
2012003378.tif 000011
【図１０】
2012003378.tif 000012
【図１１】
2012003378.tif 000013
【図１２】
2012003378.tif 000014
【図１３】
2012003378.tif 000015
【図１４】
2012003378.tif 000016
【図１５】
2012003378.tif 000017
【図１６】
2012003378.tif 000018
【図１７】
2012003378.tif 000019
【図１８】
2012003378.tif 000020
【図１９】
2012003378.tif 000021
【図２０】
2012003378.tif 000022